(57)【要約】【課題】動作に必要な電力を十分確保した状態で話したい場所にインターホンモジュールを容易に移動させて使用することができるインターホンシステムを提供する。【解決手段】宅内の複数箇所に設けたスイッチボックス９０内には、宅内に先行配線された電力線Ｌ１および情報線Ｌ２が接続されたコネクタ装置１が配設されており、コネクタ装置１に接続される基本機能モジュール２ａは、コネクタ装置１を介して電力線Ｌ１および情報線Ｌ２に接続されている。インターホンモジュール３は、基本機能モジュール２ａに対して着脱自在に接続され、基本機能モジュール２ａから非接触で電源が供給されるとともに、情報信号を非接触で授受しており、ドアホン子器５からインターホン親機６を介して入力される呼出信号に応じてドアホン子器５との間に通話路を形成し、内線通話を行う。【選択図】図１
2007174413.tif 000002
【特許請求の範囲】
【請求項１】
宅外に設置されるドアホン子器と、宅内に配置されるインターホンモジュールとを備え、ドアホン子器からの呼出に応じてインターホンモジュールとドアホン子器との間に通話路が形成され、当該通話路を通してインターホンモジュールとドアホン子器との間で内線通話を行うインターホンシステムにおいて、造営面の裏側に先行配線された電線を介して電力の供給と情報信号の伝達とを行うゲート装置を複数台設置し、インターホンモジュールは、前記ゲート装置に着脱自在に接続されて造営面に配設され、前記ゲート装置を介して電源供給を受けるとともに、前記ゲート装置を介してドアホン子器との間で送受話信号を授受することを特徴とするインターホンシステム。
【請求項２】
前記インターホンモジュールに一面を対接させた状態で前記造営面に配設される拡張機能モジュールを備え、拡張機能モジュールと対接するインターホンモジュールの部位に、前記ゲート装置を介して供給される電源を拡張機能モジュールに供給するための給電手段と、前記ゲート装置を介して授受した情報信号を拡張機能モジュールとの間で授受する情報信号接続手段とを設けたことを特徴とする請求項１記載のインターホンシステム。
【請求項３】
前記拡張機能モジュールが、情報信号を無線信号により送受信する無線通信機能を備えて成ることを特徴とする請求項２記載のインターホンシステム。
【請求項４】
前記電線が、電源供給のための電力線と、情報信号を伝送するための情報線とで構成されることを特徴とする請求項１乃至３の何れかに記載のインターホンシステム。
【請求項５】
前記電線が電源供給のための電力線からなり、前記電力線を介して電力線搬送により情報信号を授受する電力線搬送通信手段を、前記ゲート装置又は前記インターホンモジュールの何れかに設けたことを特徴とする請求項１乃至３の何れかに記載のインターホンシステム。
【発明の詳細な説明】
【技術分野】
【０００１】
本発明は、インターホンシステムに関するものである。
【背景技術】
【０００２】
従来より、例えば壁面に固定された取付金具を用いて配設されるインターホン親機と、宅外に配設されたドアホン子器とで構成され、ドアホン子器からの呼出に応じてインターホン親機とドアホン子器との間の通話路を形成し、当該通話路を介してインターホン親機とドアホン子器との間で内線通話を行うインターホンシステムが提供されている（例えば、特許文献１参照）。
【特許文献１】特許第３３１９９２７号公報
【発明の開示】
【発明が解決しようとする課題】
【０００３】
上述のインターホンシステムに用いるインターホン親機は、壁面の裏側に先行配線された電力線や信号線を背面側に設けた端子部に接続した後、壁面に固定された取付金具を背面側に取り付けることで壁面に配設されており、設置時に配線作業が必要になるため、インターホン親機を簡単に移動させることができず、話したい場所にインターホン親機を持って行って使用することができなかった。このような配線作業を無くすために、インターホン親機とドアホン子器との間の信号伝送をワイヤレス化して、インターホン親機を電池駆動することも考えられるが、モニタ装置などの電源が必要なため、電池駆動では動作させるのに十分な電力が得らないという問題があり、そのため従来はインターホン親機に電力線および情報線を接続して、電力線から直接電源供給を受けるようにしてあり、予め決められた場所にインターホン親機を固定して使用していた。
【０００４】
本発明は上記問題点に鑑みて為されたものであり、その目的とするところは、動作に必要な電力を十分確保した状態で話したい場所にインターホンモジュールを容易に移動させて使用することができるインターホンシステムを提供することにある。
【課題を解決するための手段】
【０００５】
上記目的を達成するために、請求項１の発明は、宅外に設置されるドアホン子器と、宅内に配置されるインターホンモジュールとを備え、ドアホン子器からの呼出に応じてインターホンモジュールとドアホン子器との間に通話路が形成され、当該通話路を通してインターホンモジュールとドアホン子器との間で内線通話を行うインターホンシステムにおいて、造営面の裏側に先行配線された電線を介して電力の供給と情報信号の伝達とを行うゲート装置を複数台設置し、インターホンモジュールは、ゲート装置に着脱自在に接続されて造営面に配設され、ゲート装置を介して電源供給を受けるとともに、ゲート装置を介してドアホン子器との間で送受話信号を授受することを特徴とする。
【０００６】
請求項２の発明は、請求項１の発明において、インターホンモジュールに一面を対接させた状態で造営面に配設される拡張機能モジュールを備え、拡張機能モジュールと対接するインターホンモジュールの部位に、ゲート装置を介して供給される電源を拡張機能モジュールに供給するための給電手段と、ゲート装置を介して授受した情報信号を拡張機能モジュールとの間で授受する情報信号接続手段とを設けたことを特徴とする。
【０００７】
請求項３の発明は、請求項２の発明において、拡張機能モジュールが、情報信号を無線信号により送受信する無線通信機能を備えて成ることを特徴とする。
【０００８】
請求項４の発明は、請求項１乃至３の何れかの発明において、電線が、電源供給のための電力線と、情報信号を伝送するための情報線とで構成されることを特徴とする。
【０００９】
請求項５の発明は、請求項１乃至３の何れかの発明において、電線が電源供給のための電力線からなり、電力線を介して電力線搬送により情報信号を授受する電力線搬送通信手段を、ゲート装置又はインターホンモジュールの何れかに設けたことを特徴とする。
【発明の効果】
【００１０】
請求項１の発明によれば、インターホンモジュールをゲート装置に接続して造営面の表側に配設すると、インターホンモジュールがゲート装置を介して電源供給を受けるとともに、ゲート装置を介してドアホン子器との間で送受話信号を授受することができるので、何れかのゲート装置にインターホンモジュールを接続することによって、インターホンモジュールとドアホン子器との間で内線通話を行うことができ、ゲート装置が設置されている場所であれば、所望の場所にインターホンモジュールを持って行って使用できるという効果がある。
【００１１】
請求項２の発明によれば、インターホンモジュールに一面を対接させた状態で拡張機能モジュールを配設すると、拡張機能モジュールは、インターホンモジュールの給電手段から電源供給を受けるとともに、インターホンモジュールの情報信号接続手段を介して情報信号を授受することができるので、所望の機能を有する拡張機能モジュールを配設することで、機能の追加や拡張に容易に対応できるという効果がある。
【００１２】
請求項３の発明によれば、無線通信機能を備えた拡張機能モジュールを使用することで、無線信号により情報信号を送受信することができるという効果がある。
【００１３】
請求項４の発明によれば、電力線と情報線とを用いて電力の供給と情報信号の伝送とを行うことができる。
【００１４】
請求項５の発明によれば、電力線で情報線を兼用しているので、電線の本数を減らして、配線施工を簡略化することができる。
【発明を実施するための最良の形態】
【００１５】
以下に本発明の実施の形態を図面に基づいて説明する。
【００１６】
（実施形態１）
図１に本発明に係るインターホンシステムを含めた全体の配線システムのシステム構成図を示す。この配線システムでは、建物内の適所において複数のスイッチボックス９０を埋込配設してあり、始端のスイッチボックス９０に対しては、屋外より配線盤８内に引き込まれ主幹ブレーカＭＢおよび分岐ブレーカＢＢを介して屋内に引き込まれた電力線Ｌ１と、外部のインターネット網ＮＴにゲートウェイＧＷ（ルータ、ハブ内蔵）を介して接続される情報線Ｌ２とを導入する。また各スイッチボックス９０の間は壁面内に先行配線された電力線Ｌ１と情報線Ｌ２とを送り配線してある。
【００１７】
ここで、スイッチボックス９０は、例えばＪＩＳで規格化された大角形の１個モジュール寸法の埋込型配線器具を３個取り付けることができる１連の取付枠７０（図２参照）に対応して規格化されたもので、配線盤８又は他のスイッチボックス９０から送り配線されてくる電力線Ｌ１及び情報線Ｌ２を導入するとともに、他のスイッチボックス９０へ送り配線するための電力線Ｌ１及び情報線Ｌ２を導出している。なお、スイッチボックス９０には、図１及び図１４に示すように室内の天井１００に設けられるものと、壁１０１に設けられるものと、床１０２に設けられるものとがある。
【００１８】
そして、各スイッチボックス９０の内部には、図１、図２及び図８に示すコネクタ装置１が取付枠７０を用いて埋込配設されている。取付枠７０は矩形枠状であって、器具取付用の細長の取付窓７１を有しており、左右の枠片７２には取付窓７１の長手方向において器具取付孔７３を３組ずつ備えている。また取付枠７０の上下の枠片７４には、スイッチボックス９０に取り付けるための取付ねじ用の長孔７５や、壁を構成する石膏ボードなどに取り付けるための従来周知のはさみ金具（図示せず）が取着される取着孔７６や、前面側に後述のプレート枠８０を取り付けるためのプレートねじ用のねじ孔７７や、石膏ボードなどにタッピングねじにより直接ねじ固定するためのねじ挿通孔７８が少なくとも設けてある。また上下の枠片７４の左右両側部からはＬ字形の引掛片７９，７９が一体に突出しており、左右方向の片側から突出する引掛片７９は枠片７４の上部から延出して先端が下向きに突出し、反対側から突出する引掛片７９は枠片７４の下部から延出して先端が上向きに突出している。この取付枠７０をスイッチボックス９０に取り付ける際には、取付枠７０の上下の枠片７４に設けた長孔７５に挿通する取付ねじ（図示せず）をスイッチボックス９０のねじ孔（図示せず）に締結することで、コネクタ装置１ごとスイッチボックス９０に取り付けられる。
【００１９】
コネクタ装置１の器体１０は、規格化された単位寸法の埋込型配線器具を短幅方向に３個並べた大きさに相当する寸法（３個モジュール寸法）に形成されており、器体１０の左右両側面には取付枠７０の枠片７２に設けた器具取付孔７３に係止離脱自在に係止する係止爪１０ａが２組ずつ形成されている。そして、コネクタ装置１の器体１０は、取付枠７０の取付窓７１から前面を露出させた状態で取付枠７０に取り付けられている。
【００２０】
コネクタ装置１では、図５に示すように器体１０の背面に設けた速結端子構造の端子部１１ａ，１１ｂ，１２ａ，１２ｂに電力線Ｌ１、情報線Ｌ２を接続するようになっている。ここで、電力線Ｌ１が接続される端子部１１ａ，１１ｂの内、例えば下側の端子部１１ｂに接続される電力線Ｌ１は他のスイッチボックス９０への送り配線となる。同様に情報線Ｌ２が接続される端子部１２ａ，１２ｂの内、例えば下側の端子部１２ｂに接続される情報線Ｌ２も他のスイッチボックス９０への送り配線となっている。
【００２１】
一方、器体１０の前面には、端子部１１ａ，１１ｂに電気的に接続された導電部（図示せず）を備えて、端子部１１ａ，１１ｂに接続される電力線Ｌ１を外部の電力路に接続するための電力路接続口１３ａと、端子部１２ａ，１２ｂに電気的に接続された導電部（図示せず）を備えて、端子部１２ａ，１２ｂに接続される情報線Ｌ２を外部の情報路に接続するための情報路接続口１３ｂとが設けられている。ここに、電力路接続口１３ａおよび情報路接続口１３ｂは、それぞれ、導電部の配列や開口部の形状をシステムとして定形化（規格化）してある。
【００２２】
次にコネクタ装置１に接続される基本機能モジュール２ａについて図２及び図３を参照して説明する。基本機能モジュール２ａは扁平な直方体状のモジュール本体２０を備えており、モジュール本体２０の背面側には、電力路接続口１３ａおよび情報路接続口１３ｂにそれぞれ対応した形態に規格化されたコネクタ２１ａ，２１ｂが形成されており、これらのコネクタ２１ａ，２１ｂをコネクタ装置１の各接続口１３ａ，１３ｂに接続することにより、コネクタ装置１の器体１０前面側にモジュール本体２０を重ねた状態で取着される。
【００２３】
モジュール本体２０の内部には図８に示すような構成の回路が内蔵されている。この基本機能モジュール２ａは、後述するインターホンモジュール３および拡張機能モジュール４を連設して使用するために以下の構成を備えている。すなわち基本機能モジュール２ａは、コネクタ２１ａを介して接続される商用電源ＡＣを所定電圧に降圧するとともに、周波数を高周波に変換し、この高周波に変換した定圧交流電源をコア２３ａに巻装したコイル２３ｂに印加するＡＣ／ＡＣコンバータ２２ａと、低圧交流電源を整流平滑後、安定した直流電圧からなる内部回路の動作電源（＋Ｖ）を得る直流電源部２２ｂと、コネクタ２１ｂを介して接続される情報線Ｌ２を通じて情報信号の送受信を行う送受信部２４と、情報線Ｌ２を介して受信される情報信号をＥ／Ｏ変換し、発光素子ＬＥＤを通じて光信号で送出するＥ／Ｏ変換部２５ａと、インターホンモジュール３から送られてくる光信号からなる情報信号を受光素子ＰＤで受光し、Ｏ／Ｅ変換して送受信部２４に出力するＯ／Ｅ変換部２５ｂと、機能モジュールの種類に対応した機能部２８と、機能部２８から送られてくる情報信号をＩ／Ｏインターフェース２７を通じて取り込み、送信先へ情報信号として送信させる処理を行う機能や、送受信部２４で受信した情報信号を取り込み、Ｉ／Ｏインターフェース２７を通じて機能部２８へ送信する機能を備えた演算処理部２６とで構成されている。
【００２４】
ここで、上述したコイル２３ｂとコア２３ａとは、基本機能モジュール２ａからインターホンモジュール３又は拡張機能モジュール４へ電力を非接触で供給するためのトランスの一次側となる電磁結合部を構成するもので、各モジュール３，４に同様に設けた電磁結合部のコアにコア２３ａが磁気結合し、トランス作用によって各モジュール３，４に設けた電磁結合部のコイルに定圧交流電源を誘起させて電源供給を行うようになっている。なおＡＣ／ＡＣコンバータ２２ａでは、電力線Ｌ１を通じて供給される商用電源を、商用電源周波数に比べて高周波の交流電源に変換することで、電磁結合部によるトランス構成の小型化を図っている。図８ではコア２３ａとコイル２３ｂとからなる電磁結合部が１組しか示されていないが、インターホンモジュール３や拡張機能モジュール４は基本機能モジュール２ａの左右何れかの側、或いは、基本機能モジュール２ａの左右両側に並べて配置されるので、実際には電気的に並列な２組の電磁結合部が設けられ、モジュール本体２０の左右両側において側壁に近接する内部位置に電磁結合部が１組ずつ配置してある。ここに、各電磁結合部のコア２３ａの先端が近接配置されるモジュール本体２０の側面位置が、拡張機能モジュール４に対する磁気結合部Ｘとなっている（図２参照）。
【００２５】
一方、Ｅ／Ｏ変換部２５ａの発光素子ＬＥＤは、インターホンモジュール３又は拡張機能モジュール４に対して情報信号を光信号により非接触で伝送するためのもので、連設される各モジュール３，４のＯ／Ｅ変換部（図示せず）に設けた受光素子に対置される。また、Ｏ／Ｅ変換部２５ｂの受光素子ＰＤは連設される各モジュール３，４から光信号により伝達されてくる情報信号を受光するためのもので、連設される各モジュール３，４のＥ／Ｏ変換部（図示せず）に設けた発光素子に対置される。なお、Ｅ／Ｏ変換部２５ａの発光素子ＬＥＤ、および、Ｏ／Ｅ変換部２５ｂの受光素子ＰＤも図８では１個ずつしか示されていないが、各変換部２５ａ，２５ｂには発光素子ＬＥＤ、受光素子ＰＤを２組ずつ接続してあり、モジュール本体２０の左右両側において側壁に近接する内部位置に発光素子ＬＥＤおよび受光素子ＰＤの組を１組ずつ配置している。ここで、発光素子ＬＥＤの発光部及び受光素子ＰＤの受光部が対向するモジュール本体２０の側壁部位は光信号が透過可能なように透明部Ｙとしてある（図２参照）。また、モジュール本体２０の両側では、受光素子ＰＤと発光素子ＬＥＤの位置が上、下で逆になるように配置され、例えば右側では受光素子ＰＤを上、発光素子ＬＥＤを下とし、左側では受光素子ＰＤを下、発光素子ＬＥＤを上としてある。そして、電磁結合部のコア２３ａの先端部の配置位置と、受光素子ＰＤ及び発光素子ＬＥＤの配置位置の上下間隔は定形としている。
【００２６】
ここで、本実施形態では基本機能モジュール２ａの機能部２８を図１１に示すような回路で構成してあり、後述の拡張機能モジュール４に所定の動作を行わせる動作プログラムが予め格納されたＲＯＭなどの記憶部２８ａと、記憶部２８ａに格納された動作プログラムを実行して拡張機能モジュール４に所定の動作を行わせるＣＰＵ部２８ｂとで構成してある。すなわち基本機能モジュール２ａに、拡張機能モジュール４の動作を制御して、所望の機能を実現する制御モジュールの機能を持たせており、この制御モジュール機能により拡張機能モジュール４に所望の動作を行わせることできる。また、本実施形態の基本機能モジュール２ａは、上述した制御モジュールの機能に加えて、インターホンモジュール３及び拡張機能モジュール４に電力を供給する機能と、インターホンモジュール３及び拡張機能モジュール４を情報線Ｌ２に接続して情報信号の授受を可能にする機能とを備えている。
【００２７】
なお基本機能モジュール２ａの機能を制御モジュール機能に限定する趣旨のものではなく、機能部２８として制御モジュール以外の機能（例えばスイッチやコンセントの機能）を備えるものを用いても良い。例えば図１および図１４に示すように、天井１００に設けたコネクタ装置１に接続する基本機能モジュールとしては、照明器具の引掛プラグに対応した引掛栓刃接続部９１を持つ引掛シーリングローゼット型の機能モジュール２ｄや、人感センサ等を備えたセンサ型機能モジュール（図示せず）や、監視カメラを備えたカメラ型機能モジュール（図示せず）や、ＢＧＭ等のスピーカＳＰを持つ機能モジュール２ｂ等がある。また壁１０１に設けたコネクタ装置１に接続する基本機能モジュールとしては、照明器具などをオン／オフ操作するスイッチを備えた機能モジュール２ｃや、空調機器のコントローラ等の操作器型機能モジュール（図示せず）などがある。さらに床１０２に設けたコネクタ装置１に接続する基本機能モジュールとしては、電源プラグ用のコンセント部９２を備えた機能モジュール２ｅや、スピーカＳＰを備えた機能モジュール２ｂ等がある。また更に基本機能モジュール２が機能部２８を備えておらず、連設されたインターホンモジュール３や拡張機能モジュール４に対して電力および情報信号を伝達する機能のみを備えているものでも良い。
【００２８】
基本機能モジュール２ａは以上のような構成を有しており、スイッチボックス９０に取付枠７０を用いて埋込配設されたコネクタ装置１の各接続口１３ａ，１３ｂに、対応するコネクタ２１ａ，２１ｂを結合することで電力確保と情報路の確保が同時に行え、且つ、スイッチボックス９０内への配設が行える。ここに、コネクタ装置１と基本機能モジュール２ａとでゲート装置が構成され、基本機能モジュール２ａの磁気結合部Ｘおよび透明部Ｙから給電手段および情報信号接続手段が構成される。なおコネクタ装置１の各接続口１３ａ，１３ｂとコネクタ２１ａ，２１ｂの形態を定形化（規格化）しているので、基本機能モジュール２ａを何れのコネクタ装置１にも接続することができ、そのためレイアウトフリーに基本機能モジュール２ａを施工でき、また基本機能モジュール２ａの機能によって多様な配線システムを展開することができる。従って、ユーザは、好みの利用形態に応じて基本機能モジュール２ａを自由に施工することができ、将来的に建物内部のレイアウトを変更したり、新しい基本機能モジュール２ａを追加したい場合にも、基本機能モジュール２ａの着脱のみで簡単に対応できるから、基本機能モジュール２ａの取替性が向上する。
【００２９】
次に、基本機能モジュール２ａに連設され、基本機能モジュール２ａから電力供給を受けて動作するインターホンモジュール３について説明する。インターホンモジュール３は図７（ａ）（ｂ）に示すように、モジュール本体３０の高さ寸法を埋込型配線器具の３個モジュール寸法に形成するとともに、横幅寸法を１個モジュール寸法の約３倍の寸法に形成し、またモジュール本体３０の両側面の形状は基本機能モジュール２ａの側面と同一形状とし、さらに背面を平坦な面に形成して、造営面に沿って配設できるようにしてある。モジュール本体３０の上下位置には、取付枠７０の枠片７４と同様の枠片３１を一体に形成してあり、各枠片３１の挿通孔３２に通したタッピングねじにより壁を構成する石膏ボードなどにモジュール本体３０を直接ねじ固定することができる。なお各枠片３１には、前面側に後述のプレート枠８０を取り付けるためのプレートねじ用のねじ孔３３が設けてある。また各枠片３１の左右両側部からはＬ字形の引掛片３４，３４が一体に突出しており、左右方向の片側から突出する引掛片３４は枠片３１の上部から延出して先端が下向きに突出し、反対側から突出する引掛片３４は枠片３１の下部から延出して先端が上向きに突出している。而して、インターホンモジュール３を後述する拡張機能モジュール４および基本機能モジュール２ａと共に連設すると、基本機能モジュール２ａが取着された取付枠７０の引掛片７９、又は、拡張機能モジュール４の引掛片４４とインターホンモジュール３の引掛片３４とが係合することによって、インターホンモジュール３および各機能モジュール２ａ，４のモジュール本体２０，３０，４０が、がたつき無く取り付けられるようになっている。
【００３０】
このモジュール本体３０の内部には、図９に示すようにコア２３ａおよびコイル２３ｂからなる電磁結合部を２組備えて、モジュール本体３０の左右両側部において側壁に近接する内部位置に配置するとともに、夫々のコイル２３ｂを電気的に接続し、片側の電磁結合部が隣接する基本機能モジュール２ａ又は拡張機能モジュール４の電磁結合部と電磁結合して電力を受け取る側（二次側）となると、他方の電磁結合部が電力供給側（一次側）となるようになっている。これらの電磁結合部を構成するコア２３ａの先端が近接配置されるモジュール本体３０の側面位置が磁気結合部Ｘとなる。また両電磁結合部のコイル２３ｂ，２３ｂ間を接続する線路には直流電源部２３を接続し、内部回路の動作電源＋Ｖを得るようになっている。
【００３１】
更に情報信号を授受するために、モジュール本体３０内には連設する基本機能モジュール２ａ又は拡張機能モジュール４から送られてくる光信号からなる情報信号を受光素子ＰＤにて受光し電気的な信号に変換するＯ／Ｅ変換部２５ｂと、電気信号からなる情報信号を隣接する基本機能モジュール２ａ又は拡張機能モジュール４へ光信号からなる情報信号として発光素子ＬＥＤにより送り出すためのＥ／Ｏ変換部２５ａと、Ｏ／Ｅ変換部２５ｂからの電気信号からなる情報信号を受け取るとともに、電気信号からなる情報信号をＥ／Ｏ変換部２５ａへ送り出す情報信号送受信部２５とからなる情報信号送受信手段を二組設け、一方の組の発光素子ＬＥＤおよび受光素子ＰＤをモジュール本体３０の左側側壁近傍の内部に、また他方の組の発光素子ＬＥＤおよび受光素子ＰＤをモジュール本体３０の右側側壁近傍の内部に配置してある。ここで、左側に配置される発光素子ＬＥＤの位置は受光素子ＰＤの下側に、また右側に配置される発光素子ＬＥＤの位置は受光素子ＰＤの上側に夫々を配置してある。而して、左側に連接される基本機能モジュール２ａ又は拡張機能モジュール４の右側側壁に近接配置された発光素子ＬＥＤ、受光素子ＰＤに、当該インターホンモジュール３の左側に配置した受光素子ＰＤ、発光素子ＬＥＤが夫々対向し、また右側に連接される基本機能モジュール２ａ又は拡張機能モジュール４の左側側壁に近接配置された発光素子ＬＥＤ、受光素子ＰＤに、当該インターホンモジュール３の右側に配置した受光素子ＰＤ、発光素子ＬＥＤが夫々対向するようになっている。なお発光素子ＬＥＤ、受光素子ＰＤが対向しているモジュール本体３０の側壁は、基本機能モジュール２ａと同様、光信号が透過できるように透明部Ｙとなっている。
【００３２】
そして、両側の情報信号送受信部２５，２５間をモジュール本体３０内において、双方向の信号ライン２９で接続して、両側に隣接する基本機能モジュール２ａ又は拡張機能モジュール４に対して情報信号を中継できるようになっている。
【００３３】
またモジュール本体３０内には、信号ライン２９上の情報信号を受信するとともに、信号ライン２９上に情報信号を送出する送受信部２４と、この送受信部２４で受信される情報信号からデータを取り込んで処理を行うとともに、インターホンモジュール３から基本機能モジュール２ａ又は拡張機能モジュール４宛にデータを送る場合のデータ生成処理を行う演算処理部２６と、Ｉ／Ｏインターフェース２７を介して演算処理部２６との間でデータの授受を行って動作する機能部２８とを設けてある。機能部２８は内線通話機能を実現するための構成を有し、図１２に示すように受話／送話兼用のスピーカＳＰ１と、スピーカＳＰ１を受話用スピーカとして使う場合と送話用マイクとして使う場合を切り替える切替え回路２８ｄと、切替え回路２８ｄに切替えを指示する押釦スイッチからなる通話スイッチＳＷ１と、デジタル映像信号から映像を再生表示する液晶表示装置２８ｅと、押釦スイッチからなるメニュー選択用のスイッチＳＷ２と、押釦スイッチからなる音響停止操作用のスイッチＳＷ３と、演算処理部２６からＩ／Ｏインターフェース２７を介して取り込んだ情報信号を伸張復号して得た受話音声データをＤ／Ａ変換し、アンプＡＰ１と切替え回路２８ｄを通じてスピーカＳＰ１側へ送出する機能及びスピーカＳＰ１から切替え回路２８ｄとアンプＡＰ２を通じて取り込んだ送話音声信号をＡ／Ｄ変換し、圧縮符号化してＩ／Ｏインターフェース２７を介して演算処理部２６へ送出する音声処理機能及び、演算処理部２６からＩ／Ｏインターフェース２７を介して取り込んだ情報信号を伸張復号して得た画像データをデジタル映像信号として液晶表示装置２８ｅに送出する映像信号処理機能を有するとともに、通話スイッチＳＷ１の操作により切替え回路２８ｄの切替え制御を行う信号を生成する機能を有するＣＰＵ部２８ｃとを備えている。そして、図７（ａ）に示すようにモジュール本体３０の前面部には左側に寄せて液晶表示装置２８ｅの表示面を露出させ、前面部右側の下部に各スイッチＳＷ１〜ＳＷ３の操作釦Ｂ１〜Ｂ３を夫々露出させるとともに、前面部右側の上部にスピーカＳＰ１を内蔵させ、スピーカＳＰ１に対応して複数個の音声入出力用孔３０ａを開口している。
【００３４】
次に、インターホンモジュール３に連設され、インターホンモジュール３からから電力供給を受けて動作する拡張機能モジュール４について説明する。拡張機能モジュール４は、モジュール本体４０の高さ寸法を埋込型配線器具の３個モジュール寸法に形成するとともに、横幅寸法を１個モジュール寸法の整数倍の寸法に形成し、またモジュール本体４０の両側面の形状は基本機能モジュール２ａおよびインターホンモジュール３の側面と同一形状とし、さらに背面を平坦な面に形成して、造営面に沿って配設できるようにしてある。モジュール本体４０の上下位置には、取付枠７０の枠片７４と同様の枠片４１を一体に形成してあり、枠片７４と同様に挿通孔４２およびねじ孔４３を形成するとともに、枠片４１の左右両側部からＬ字形の引掛片４４，４４を一体に突出させている。
【００３５】
このモジュール本体４０の内部には、図１０に示すような構成の回路が収納されている。尚、拡張機能モジュール４の回路は、機能部２８の構成が異なる以外はインターホンモジュール３の回路と同様であるので、共通する構成要素には同一の符号を付して、その説明は省略する。拡張機能モジュール４の機能部２８は、図１３に示すように無線信号を送受信するためのアンテナ２８ｈと、規定の周波数の搬送波信号をＣＰＵ部２８ｆから入力された送信信号で変調してアンテナ２８ｈから送信するとともに、アンテナ２８ｈが受信した電波信号を復調して得た受信信号をＣＰＵ部２８ｆに出力する送受信部２８ｇと、制御モジュールとしての基本機能モジュール２ａから入力される制御信号によって動作が制御され、演算処理部２６からＩ／Ｏインターフェース２７を介して入力された送信信号を送受信部２８ｇにより無線信号で送信させるとともに、送受信部２８ｇから入力された受信信号をＩ／Ｏインターフェース２７を介して演算処理部２６に出力するＣＰＵ部２８ｆとを備えている。
【００３６】
また拡張機能モジュール４のモジュール本体４０の側面には、インターホンモジュール３と同様に、磁気結合部Ｘおよび透明部Ｙを形成してある。ここで、インターホンモジュール３および拡張機能モジュール４のモジュール本体３０，４０の側面に磁気結合部Ｘ及び透明部Ｙが形成される位置は、基本機能モジュール２ａの側面の磁気結合部Ｘ及び透明部Ｙの位置と合うように規格化されており、各モジュール２ａ，３，４を連結したときに、各モジュール本体の側面に設けた磁気結合部Ｘ、Ｘ同士、及び、透明部Ｙ，Ｙ同士が夫々対向するようになっている。つまり、夫々の給電手段の接続口同士、情報信号接続手段の接続口同士が接続された状態となる。ここにおいて、コネクタ装置１に接続される情報線Ｌ２は、複数種類のモジュール２ａ，３，４に対応した情報信号の信号伝送を行うものであり、例えば電話、ＬＡＮなどのネットワーク機器、ＴＶ、インターホン、各種センサなどに用いられる情報信号や、照明器具などの機器を制御するための制御信号の信号伝送に用いられる。したがって、コネクタ装置１を介してインターホンモジュール３へインターホンに用いられる情報信号を伝達できるとともに、各機能モジュール２ａ，４に複数種類の情報信号を伝達することができるから、各機能モジュール２ａ，４に多種多様な機能を持つ機能モジュールを使用でき、多種多様な機能をもつシステムを実現することができる。
【００３７】
以上のような配線システムを使用するに当たっては、コネクタ装置１を取付枠７０に取り付けるとともに、建物の適所（例えば壁１０１）に埋設してあるスイッチボックス９０内に導入されている電力線Ｌ１、情報線Ｌ２をコネクタ装置１の端子部１１ａ，１１ｂ，１２ａ，１２ｂにそれぞれ接続した後、コネクタ装置１を取付枠７０を介してスイッチボックス９０に取り付ける。次に、コネクタ装置１の前面部にそれぞれ設けられた電力路接続口１３ａ及び情報路接続口１３ｂに対して、基本機能モジュール２ａの対応するコネクタ２１ａ，２１ｂを接続することにより、コネクタ装置１の前面部を覆うようにして基本機能モジュール２ａを取り付ける。そして、基本機能モジュール２ａの露出した両側側面の一方に、インターホンモジュール３の片側の側面を面接させ、この状態で引掛片３４，７９を互いに係合させるとともに、挿通孔３２に通したタッピングねじにより石膏ボードのような造営材に直接ねじ止めする。さらにインターホンモジュール３の他方の側面に、拡張機能モジュール４の片側の側面を面接させ、この状態で引掛片３４，４４を互いに係合させるとともに、挿通孔４２に通したタッピングねじにより石膏ボードのような造営材に直接ねじ止めする。そして、取付枠７０およびモジュール本体３０，４０の前面側にプレートねじを用いてプレート枠８０をねじ止めした後、プレート枠８０の前面側に化粧プレート８２を取着し、化粧プレート８２の窓孔８３から機能モジュール２ａ，４およびインターホンモジュール３の前面部の機能面を露出させるのである。この取付状態において、機能モジュール２ａ，４およびインターホンモジュール３の前面部は化粧プレート８２の前面部と略同じ高さとなる。更に先に連結した拡張機能モジュール４に別の拡張機能モジュール４を連結する場合には、対向側面を面接させ、引掛片４４同士を係合させた状態で、挿通孔４２に通したタッピングねじにより拡張機能モジュール４を造営材に固定すれば良く、機能モジュール２ａ，４およびインターホンモジュール３の個数に合わせてプレート枠８０および化粧プレート８２を交換すれば良い。尚、図４に示す使用例では基本機能モジュール２ａの片側のみに各モジュール３，４を連結しているが、基本機能モジュール２ａの両側に各モジュール３，４を連結しても良い。但し、基本機能モジュール２ａに連結できるモジュール３，４の数はＡＣ／ＡＣコンバータ２２ａの電力供給能力などによって制限される。
【００３８】
また本システムでは、宅外に設置されたドアホン子器５に接続され、ドアホン子器５からの呼出に応じてドアホン子器５との間の通話路を形成し、当該通話路を通してドアホン子器５との間で内線通話を行うインターホン親機６を設けてある。インターホン親機６は宅内の適所に設置され、電力線Ｌ１を介して電源が供給されるとともに、情報線Ｌ２を介して基本機能モジュール２ａに接続されたインターホンモジュール３との間で送話信号および受話信号、並びにドアホン子器５のカメラ５ａで撮影された画像データを授受できるようになっており、インターホンモジュール３は基本機能モジュール２ａを介してドアホン子器５との間で内線通話を行うようになっている。
【００３９】
以上のようにして配線システムの施工が完了した後は、コネクタ装置１および基本機能モジュール２ａを介して各モジュール３，４を電力路および情報路に接続することができ、ドアホン子器５又はインターホン親機６とインターホンモジュール３との間で内線通話を行うことができるのである。すなわち、来訪者がドアホン子器５の呼出釦５ｂを押操作すると、ドアホン子器５から信号線Ｌ３を介してインターホン親機６に呼出信号が送出される。インターホン親機６はドアホン子器５からの呼出信号を受け取ると、ドアホン子器５にカメラ５ａを作動させるのに必要な電力を供給するとともに、スピーカ（図示せず）から呼出音を鳴動させる。この時、ドアホン子器５はインターホン親機６からの電源供給を受けてカメラ５ａの動作を開始させ、カメラ５ａで撮像された画像データを信号線Ｌ３を介してインターホン親機６へ出力しており、インターホン親機６ではモニタ画面６ａにカメラ５ａで撮像された画像を表示するようになっている。またインターホン親機６は、呼出信号と、画像データを圧縮変調して得た情報信号とを情報線Ｌ２へ送出しており、情報線Ｌ１にコネクタ装置１及び基本機能モジュール２ａを介して接続されたインターホンモジュール３では、演算処理部２６が情報線Ｌ２を通じて受信した情報信号と呼出信号をＩ／Ｏインターフェース２７を介して機能部２８に出力する。この時、機能部２８のＣＰＵ部２８ｃは、アンプＡＰ２を通じてスピーカＳＰ１から呼出音を出力させるとともに、情報信号を伸長復号して得たデジタル映像信号を液晶表示装置２８ｅに出力し、液晶表示装置２８ｅの表示面にドアホン子器５のカメラ５ａで撮像された画像を表示させる。その後、呼出音を聞き、液晶表示装置２８ｅの画像を確認した家人がインターホンモジュール３の通話スイッチＳＷ１を押操作すると、ＣＰＵ部２８ｃは、通話スイッチＳＷ１からの操作入力に基づいて、インターホン親機６を通じてドアホン子器５との間に通話路を形成し、この通話路を通してドアホン子器５との間で内線通話を行うようになっている。
【００４０】
また、インターホンモジュール３が内線通話を行う間に、インターホンモジュール３に接続された基本機能モジュール２ａは、無線通信モジュールからなる拡張機能モジュール４の動作を制御して、インターホン通話に関わる情報信号を無線信号で送受信するようになっている。つまり、基本機能モジュール２ａでは、演算処理部２６が、インターホンモジュール３とインターホン親機６との間で送受信される情報信号をＩ／Ｏインターフェース２７を通じて機能部２８に出力しており、機能部２８のＣＰＵ部２８ｂは入力された情報信号を拡張機能モジュール４に送出する。この時、拡張機能モジュール４では、演算処理部２６が、基本機能モジュール２ａから入力された情報信号をＩ／Ｏインターフェース２７を通じて機能部２８に出力し、機能部２８のＣＰＵ部２８ｆが送受信部２８ｇを制御して情報信号を無線信号により送信させるのである。ここで、無線通信モジュールと無線通信を行う無線通信装置７は例えばトランシーバ機能を備えており、無線通信モジュールから入力される受話信号を伸長復号してスピーカから送出させるとともに、マイクにより電気信号に変換された音声信号を圧縮変調して無線信号により送信するようになっており、無線通信装置７を用いてドアホン子器５などとの間で通話が行えるようになっている。
【００４１】
本実施形態のインターホンシステムは上記のような構成を有しており、宅内の適所に配設されたコネクタ装置１に基本機能モジュール２ａを接続するとともに、この基本機能モジュール２ａにインターホンモジュール３を接続して、インターホンモジュール３を造営面の表側に配設すると、インターホンモジュール３が、基本機能モジュール２ａとコネクタ装置１とを介して電力線Ｌ１および情報線Ｌ２にそれぞれ接続され、電力線Ｌ１を通じて電源が供給されるとともに、情報線Ｌ２を通じてドアホン子器５との間で送話信号および受話信号を授受することができる。したがって、何れかの場所に設置されたコネクタ装置１および基本機能モジュール２ａからなるゲート装置にインターホンモジュール３を接続することによって、インターホンモジュール３とドアホン子器５との間で内線通話を行うことができるから、ゲート装置が設置されている場所であれば、所望の場所にインターホンモジュール３を持って行って使用することができる。
【００４２】
なお本実施形態ではコネクタ装置１と基本機能モジュール２ａとでゲート装置を構成し、基本機能モジュール２ａの側面に対接するようにしてインターホンモジュール３を接続することで、基本機能モジュール２ａからインターホンモジュール３に電源を非接触で供給し、且つ、基本機能モジュール２ａとインターホンモジュール３との間で情報信号を非接触で授受しているが、基本機能モジュール２ａに電力線Ｌ１および情報線Ｌ２を接続する端子部を設け、コネクタ装置１を無くしても良く、コネクタ装置１と基本機能モジュール２ａとを一体化しても良い。またインターホンモジュール３の背面側に、コネクタ装置１の電力路接続口１３ａおよび情報路接続口１３ｂにそれぞれ接続されるコネクタを設け、これらのコネクタを電力路接続口１３ａおよび情報路接続口１３ｂに接続することによって、電源供給と情報信号の授受とを行うようにしても良く、この場合はコネクタ装置１のみでゲート装置が構成される。
【００４３】
（実施形態２）
本発明の実施形態２について図１５に基づいて説明する。上述の実施形態１では情報路と、電力路を別にしているためコネクタ装置１には電力線Ｌ１と情報線Ｌ２とを夫々接続しているが、本実施形態では電力線搬送で情報信号の伝送を行うことによって、電力路を情報路として用い、配線を電力線Ｌ１のみとしている。尚、情報信号を電力線搬送で伝送する構成以外は実施形態１と同様であるので、共通する構成要素には同一の符号を付して、その説明は省略する。
【００４４】
上述のように本実施形態では情報信号を電力線搬送により伝送しているので、各スイッチボックス９０での先行配線は電力線Ｌ１のみとし、これに対応して図１５に示すようにコネクタ装置１の端子部１２ａ，１２ｂおよび情報路接続口１３ｂを無くし、電力線用の端子部１１ａ，１１ｂおよび電力路接続口１３ａのみとしている。そして、基本機能モジュール２ａにおいて、コネクタ２１ａおよびコネクタ装置１を介して電力線Ｌ１に接続され、電力線搬送通信により情報信号を授受するＰＬＣモデム部（電力線搬送通信手段）２４ａを設けており、送受信部２４では、ＰＬＣモデム部２４ａを介して受信された情報信号をＥ／Ｏ変換部２５ａにより光信号で送信させるとともに、Ｏ／Ｅ変換部２５ｂが受光した光信号よりなる情報信号を、ＰＬＣモデム部２４ａから電力線搬送によって送信させている。また送受信部２４は、ＰＬＣモデム部２４ａを介して受信された情報信号を演算処理部２６に出力して、演算処理部２６によりデータ処理を行わせるとともに、演算処理部２６から入力された情報信号をＰＬＣモデム部２４ａからコネクタ装置１を介して電力線Ｌ１へ電力線搬送によって送信させている。このように、電力線Ｌ１を通じて電力線搬送により信号伝送を行っているので、電力線Ｌ１で情報線Ｌ２を兼用することができ、配線の数を減らして、配線施工の手間を少なくできる。
【００４５】
尚、本実施形態では基本機能モジュール２ａにＰＬＣモデム部２４ａを設け、このＰＬＣモデム部２４ａにより電力線Ｌ１を通じて電力線搬送通信を行い、基本機能モジュール２ａとインターホンモジュール３又は拡張機能モジュール４との間では光信号により情報信号を送受信しているが、インターホンモジュール３および拡張機能モジュール４にそれぞれＰＬＣモデム部を設け、各モジュール３，４を基本機能モジュール２ａを介して電力線Ｌ１に接続し、各モジュール３，４のＰＬＣモデム部により電力線搬送方式で情報信号を送受信するようにしても良い。
【００４６】
またＰＬＣモデム部２４ａで採用する電力線搬送の変調方式としては広帯域スペクトラム拡散方式、マルチキャリア方式、ＯＦＤＭ方式等各種方式の何れでも良いので、ここでは特に説明はしない。また図１５に示す例では、基本機能モジュール２ａのＰＬＣモデム部２４ａにより電力線搬送通信で伝送された情報信号を分離し、各モジュール２ａ，３，４の間ではＥ／Ｏ変換部２５ａおよびＯ／Ｅ変換部２５ｂを用いて情報信号の授受を行っているが、インターホンモジュール３や拡張機能モジュール４にＰＬＣモデム部を設けて、各モジュール３，４において電力線搬送通信により情報信号の授受を行うようにしても良い。
【００４７】
（実施形態３）
本発明の実施形態３について図１６及び図１７に基づいて説明する。上述の実施形態１、２では基本機能モジュール２ａが取着されてスイッチボックス９０に固定された取付枠７０と各モジュール３，４のモジュール本体３０，４０とを並置した後、取付枠７０およびモジュール本体３０，４０にプレート枠８０をねじ固定することで、各モジュール２ａ，３，４を配設しているため、基本機能モジュール２ａに連設するモジュールの数が変更されると、モジュールの数に合わせた大きさのプレート枠８０に付け替える必要があった。
【００４８】
そこで、本実施形態では図１７に示すように各モジュール２ａ，３，４のモジュール本体２０，３０，４０の一側面（例えば右側面）に、矩形状に凹没した嵌合凹部５０を形成するとともに、各モジュール本体２０，３０，４０の内側であって嵌合凹部５０の底壁に近接する位置に電磁結合部を１組配置し、さらにモジュール本体２０，３０，４０の他側面（例えば左側面）に、他のモジュールの嵌合凹部５０に凹凸嵌合する嵌合凸部５１を設け、この嵌合凸部５１の内部位置に電磁結合部を１組配置してある。ここに、各電磁結合部のコア２３ａの先端が近接配置される嵌合凹部５０の底壁および嵌合凸部５１の先端面が、他のモジュールに対する磁気結合部Ｘとなっている。なお嵌合凹部５０と嵌合凸部５１とは略同じ高さ位置に形成されており、嵌合凹部５０および嵌合凸部５１の形状はシステムとして定形化（規格化）してある。
【００４９】
而して各モジュール２ａ，３，４を接続するに当たっては、造営面に埋込配設されたコネクタ装置１に対して基本機能モジュール２ａを取着した後、モジュール本体２０，３０に設けた嵌合凸部５１に、それぞれ、モジュール本体３０，４０に設けた嵌合凹部５０を凹凸嵌合させることによって、各モジュール本体２０，３０，４０を互いに連結することができる。そして、連結方向の一端側に位置するモジュール本体２０の非連結側の側面に設けた嵌合凹部５０に、サイドカバー５２の嵌合凸部５２ａを凹凸嵌合させるとともに、連結方向の他端側に位置するモジュール本体４０の非連結側の側面に設けた嵌合凸部５１を、サイドカバー５３の嵌合凹部５３ａに凹凸嵌合させることで、両端に位置するモジュール本体２０，４０の非連結側の側面にサイドカバー５２，５３が取着されるから、嵌合凹部５０および嵌合凸部５１を隠して外観の見栄えを良くすることができる。
【００５０】
このように本実施形態では各モジュール２ａ，３，４のモジュール本体２０，３０，４０に設けた嵌合凹部５０に、他のモジュール本体に設けた嵌合凸部５１を嵌合させることで、各モジュール本体２０，３０，４０が互いに連結されるから、各モジュール２ａ，３，４の取り付け、取り外しを容易に行うことができ、また各モジュール２ａ，３，４を連設するための部材が不要なので、使用するモジュール２ａ，３，４の数の増減にも容易に対応することができる。
【図面の簡単な説明】
【００５１】
【図１】実施形態１のインターホンシステムを含めた配線システム全体のシステム構成図である。
【図２】同上に用いる基本機能モジュールをコネクタ装置から外した状態の分解斜視図である。
【図３】同上に用いる基本機能モジュールを背面側から見た外観斜視図である。
【図４】同上に用いる各モジュールの取付状態を説明する正面図である。
【図５】同上に用いる各モジュールの取付状態を説明する背面図である。
【図６】同上に用いる各モジュールの取付状態を説明する側面図である。
【図７】同上に用いるインターホンモジュールを示し、（ａ）は正面図、（ｂ）は側面図である。
【図８】同上に用いるコネクタ装置と基本機能モジュールのブロック図である。
【図９】同上に用いるインターホンモジュールのブロック図である。
【図１０】同上に用いる拡張機能モジュールのブロック図である。
【図１１】同上に用いる基本機能モジュールの要部を示すブロック図である。
【図１２】同上に用いるインターホンモジュールの要部を示すブロック図である。
【図１３】同上に用いる拡張機能モジュールの要部を示すブロック図である。
【図１４】同上のインターホンシステムを含めた配線システムの施工例を示す説明図である。
【図１５】実施形態２のインターホンシステムに用いるコネクタ装置と基本機能モジュールのブロック図である。
【図１６】実施形態３のインターホンシステムに用いる各モジュールの取付状態を説明する正面図である。
【図１７】同上の分解斜視図である。
【符号の説明】
【００５２】
１  コネクタ装置
２ａ  基本機能モジュール
３  インターホンモジュール
５  ドアホン子器
６  インターホン親機
９０  スイッチボックス
Ｌ１  電力線
Ｌ２  情報線
【図１】
2007174413.tif 000003
【図２】
2007174413.tif 000004
【図３】
2007174413.tif 000005
【図４】
2007174413.tif 000006
【図５】
2007174413.tif 000007
【図６】
2007174413.tif 000008
【図７】
2007174413.tif 000009
【図８】
2007174413.tif 000010
【図９】
2007174413.tif 000011
【図１０】
2007174413.tif 000012
【図１１】
2007174413.tif 000013
【図１２】
2007174413.tif 000014
【図１３】
2007174413.tif 000015
【図１４】
2007174413.tif 000016
【図１５】
2007174413.tif 000017
【図１６】
2007174413.tif 000018
【図１７】
2007174413.tif 000019